(57)【要約】【課題】  カートリッジがトレイ上に誤載置された際には、操作者にその誤載置を容易に認識させることができるようにする。【解決手段】  情報記録媒体を内部に収納したカートリッジを載置し得るトレイ１であって、カートリッジの載置動作に連動して、トレイベース１ｋ上をカートリッジのローディング方向に移動し得るスライダ２，６と、該スライダを、初期位置と、該初期位置からローディング方向へそれぞれ所定距離だけ離隔した複数の係止位置との間で移動させ得るスライダ移動機構とを備え、前記複数の係止位置として、初期位置からローディング方向へ第１の距離だけ離隔した第１の係止位置と、初期位置からローディング方向へ前記第１の距離よりも長い第２の距離だけ離隔した第２の係止位置の、少なくとも２つの係止位置が設定されていることを特徴とする。【選択図】図１
2004342293.tif 000002
【特許請求の範囲】
【請求項１】
平板状の情報記録媒体を内部に収納したカートリッジをトレイベース上に載置し得るトレイであって、
前記カートリッジの前記トレイベース上への載置動作に連動して、前記トレイベース上を前記カートリッジのローディング方向に移動し得るスライダと、
該スライダを、前記カートリッジが載置されていないときの初期位置と、該初期位置から前記ローディング方向へそれぞれ所定距離だけ離隔した複数の係止位置との間で移動させ得るスライダ移動機構とを備え、
前記複数の係止位置として、前記初期位置から前記ローディング方向へ第１の距離だけ離隔した第１の係止位置と、前記初期位置から前記ローディング方向へ前記第１の距離よりも長い第２の距離だけ離隔した第２の係止位置の、少なくとも２つの係止位置が設定されていることを特徴とするトレイ。
【請求項２】
前記複数の係止位置として、前記初期位置から前記ローディング方向へ前記第２の距離よりも長い第３の距離だけ離隔した第３の係止位置が更に設定されていることを特徴とする請求項１記載のトレイ。
【請求項３】
前記複数の係止位置から前記初期位置に前記スライダを復帰させるスライダ付勢手段を備えていることを特徴とする請求項１又は２に記載のトレイ。
【請求項４】
前記スライダが前記ローディング方向へ移動して係止される係止位置を、前記複数の係止位置から選択する選択子が前記スライダに備えられていることを特徴とする請求項１〜３何れか一に記載のトレイ。
【請求項５】
前記スライダが前記複数の係止位置から前記初期位置に復帰するときに、前記選択子を初期状態に復元させる選択子付勢手段が設けられていることを特徴とする請求項４記載のトレイ。
【請求項６】
前記スライダ付勢手段の付勢力は、前記選択子付勢手段の付勢力よりも大きく設定されていることを特徴とする請求項５記載のトレイ。
【請求項７】
前記スライダには、前記カートリッジと対面するカートリッジ対向面からローディング方向に屈曲する屈曲部が設けられていることを特徴とする請求項２〜６何れか一に記載のトレイ。
【請求項８】
前記スライダが前記ローディング方向に押圧されたとき、前記スライダが前記初期位置から前記第３の係止位置に移動することを特徴とする請求項２〜７何れか一に記載のトレイ。
【請求項９】
前記スライダが備える前記選択子が前記ローディング方向に押圧されたとき、前記スライダが前記初期位置から前記第２の係止位置に移動することを特徴とする請求項４〜７の何れか一に記載のトレイ。
【請求項１０】
前記スライダが備える前記選択子には、前記カートリッジと対向するカートリッジ対向部が設けられ、前記スライダが前記ローディング方向へ移動した際には、前記選択子の前記カートリッジ対向部は前記スライダの前記カートリッジ対向面よりも前記ローディング方向へ移動することを特徴とする請求項４〜９の何れか一に記載のトレイ。
【請求項１１】
前記トレイベースには、大径の円板ディスクを載置する大径ディスク載置部が更に設けられ、
前記選択子は、前記トレイベースの内方へ伸長する延長部を備えており、
前記スライダが初期位置にあるときに、前記延長部の先端は、前記大径ディスク載置部の周縁部の近傍に位置する、ことを特徴とする請求項４〜１０の何れか一に記載のトレイ。
【請求項１２】
前記トレイは、内部に収納した情報記録媒体と実質的に平行な主面の外形形状が略正方形状で、略弓形状に張り出す前辺と、該前辺と対向し両角部に面取りが施された直線状の後辺と、該後辺と前記前辺とを繋ぐ一対の側辺とを備えたカートリッジを載置可能であり、
前記カートリッジの前記トレイベース上への載置動作に伴って前記前辺が前記選択子を前記ローディング方向へ押圧することにより、前記スライダを前記初期位置から前記第２の係止位置まで移動させることを特徴とする請求項４〜１１の何れか一に記載のトレイ。
【請求項１３】
前記トレイに前記カートリッジの後部をローディング方向に向けて載置するとき、前記後辺の面取りした両角部が前記選択子に当接し、当該選択子は第１の係止位置を選択し、前記スライダが前記第１の係止位置に係止されることを特徴とする請求項１２記載のトレイ。
【請求項１４】
前記トレイに前記カートリッジの一対の側部の何れかをローディング方向に向けて載置するとき、前記側辺から該前辺に連続するコーナ部、または前記側辺から前記後辺に連続する面取りした角部の何れかが前記選択子に当接し、当該選択子は第１の係止位置を選択し、前記スライダが前記第１の係止位置に係止されることを特徴とする請求項１２又は１３に記載のトレイ。
【請求項１５】
前記トレイは、内部に収納した情報記録媒体と実質的に平行な主面の外形形状が略長方形状の第１のカートリッジと、内部に収納した情報記録媒体と実質的に平行な主面の外形形状が略正方形状で、略弓形状に張り出す前辺と、該前辺と対向し両角部に面取りが施された直線状の後辺と、該後辺と前記前辺とを繋ぐ一対の側辺とを備えた第２のカートリッジとを、選択的に載置可能であり、
前記第１のカートリッジは、前記トレイベース上への載置動作に伴って前記スライダを前記ローディング方向へ押圧することにより、前記スライダを前記初期位置から前記第３の係止位置まで移動させ、
前記第２のカートリッジは、前記トレイベース上への載置動作に伴って前記前辺が前記選択子を前記ローディング方向へ押圧することにより、前記スライダを前記初期位置から前記第２の係止位置まで移動させることを特徴とする請求項４〜１１の何れか一に記載のトレイ。
【請求項１６】
前記トレイに前記第２のカートリッジの後部をローディング方向に向けて載置するとき、前記後辺の面取りした両角部が前記選択子に当接し、当該選択子は第１の係止位置を選択し、前記スライダが前記第１の係止位置に係止されることを特徴とする請求項１５記載のトレイ。
【請求項１７】
前記トレイに前記第２のカートリッジの一対の側部の何れかをローディング方向に向けて載置するとき、前記側辺から該前辺に連続するコーナ部、または前記側辺から前記後辺に連続する面取りした角部の何れかが前記選択子に当接し、当該選択子は第１の係止位置を選択し、前記スライダが前記第１の係止位置に係止されることを特徴とする請求項１５又は１６に記載のトレイ。
【請求項１８】
情報信号を情報記録媒体の情報層から光学的に授受する光学ヘッドと、前記情報記録媒体を回転する回転手段と、を含む記録再生手段と、
前記情報記録媒体を内部に収納し、該情報記録媒体と実質的に平行な主面に設けられ前記光学ヘッド及び回転手段が挿入可能な窓部と、該窓部を開閉可能に覆うシャッタと、を備えたカートリッジを載置する請求項１〜１７の何れか一に記載のトレイと、
前記トレイを、前記カートリッジを着脱させる着脱位置と、前記記録再生手段に対応した記録再生位置との間で、往復動可能に搬送する搬送手段と、
を備えたことを特徴とする記録再生装置。
【発明の詳細な説明】
【技術分野】
【０００１】
本発明は、例えば、映像用，音楽用，コンピュータ・データ用等の情報記録媒体を収納したカートリッジを載置するトレイ及びかかるトレイを備えた記録再生装置に関する。
【背景技術】
【０００２】
近年、情報の記録再生分野におけるディジタル化の進展は著しく、情報記録媒体についても、従来の音声のみをディジタル録音する用途から動画像と音声とをディジタル録画する用途へと、その用途の拡大が急速に進展しつつある。このため、情報記録媒体の記録容量のより一層の増大と、より高速での安定した記録及び／又は再生を可能とする記録再生技術の確立とが求められている。
このような要請の高まりの中で、情報信号をディジタルで記録再生できる大容量のディスク型情報記録媒体として、所謂、記録型ＤＶＤ（ディジタル・バーサタイル・ディスク）が脚光を浴びている。
【０００３】
この記録型ＤＶＤは、厚さが約０．６ｍｍの基材間に情報信号を記録再生できる情報層を介在させた上で、これらを相互に貼り合わせて構成されている。かかる記録型ＤＶＤとしては、ライトワンス記録（一回記録）タイプの所謂ＤＶＤ−Ｒディスクと、書換型の所謂ＤＶＤ−ＲＡＭディスク，ＤＶＤ−ＲＷディスクとが、広く知られている。前者は、情報信号を記録再生する前記情報層に相変化材料を適用したものであり、後者は、情報層に色素材料を適用したものである。
これら記録型ＤＶＤは、光学的に情報の記録再生を行うものであるので、ゴミや汚れの影響を受け易く、その表面にゴミや指紋等が付着していると、安定した記録再生が不能となる場合がある。そこで、何れの記録型ＤＶＤについても、ＤＶＤ収納用のカートリッジが規格で定められている。
【０００４】
図１７は、記録型ＤＶＤ収納用のカートリッジを概略的に示す平面説明図である。
この図に示すように、記録型ＤＶＤの規格に定められているカートリッジ１０１の形状は、内部に収納したディスク（不図示）と実質的に平行な主面の外形（以下、「カートリッジの外形」又は単に「外形」と称する。）形状が長方形に設定されている。つまり、カートリッジ１０１は、平面視で略長方形状に設定されている。
カートリッジ１０１の片側の主面には、一方の短辺１０２の縁部から他方の短辺１０３に向って延びる所定幅の開口部１０１Ｈ（いわゆる「窓」）が形成され、この窓部１０１Ｈを開閉可能に覆うスライドシャッタ１０５が備えられている。前記窓部１０１Ｈからディスクの一部が露出され、当該ディスクを回転可能に支持するターンテーブル及び光ピックアップも、この窓部１０１Ｈからアクセスできる。
【０００５】
この窓部１０１Ｈは、カートリッジ１０１が記録再生装置に装着されていない間はスライドシャッタ１０５で塞がれており、カートリッジ１０１が記録再生装置に装着された後に、スライドシャッタ１０５が主面に沿ってスライドすることにより開かれるようになっている。
このようなカートリッジ１０１に対応できる記録再生装置では、カートリッジ１０１を載置できるトレイ（カートリッジトレイ）を備え、このトレイが記録再生装置の本体に対して出入りする構成が多用されており、記録再生装置本体にトレイが引き込まれる動作に連動して、カートリッジ１０１のスライドシャッタ１０５を駆動し、窓部１０１Ｈを開放するシャッタ・オープナが記録再生装置に設けられている。
【０００６】
従って、カートリッジ１０１の窓部１０１Ｈからディスクの一部を露出させ、当該ディスクについて記録再生を行うためには、カートリッジ１０１をトレイ上に載置するに際して、カートリッジ１０１のスライドシャッタ１０５が記録再生装置の本体内部に近い側に位置するように、カートリッジ１０１をトレイに対して位置設定した上で載置することが必要となる。
すなわち、トレイにはカートリッジ１０１の載置方向が規定されており、カートリッジ１０１をトレイに対して誤った方向に載置すると、カートリッジ１０１の内部に収納されたディスクを記録再生装置で記録又は再生できないことになる。
【０００７】
このようなカートリッジの誤載置を防止するための構成の一例が、特許文献１に開示されている。この特許文献１のディスク駆動装置は、外部から挿入されて来たケース（カートリッジ）を保持するホルダと、該ホルダの下側に位置し、ホルダに保持されたケースを所定の記録再生位置に位置決めするための基準ピンが設けられたローディングベースを備えている。上記ホルダの両側面の下端には、内側に折り曲げられた折曲部が相対向するように形成されており、ホルダ内に挿入されるケースは、その厚さ方向において、前記折曲部により下限位置が規定され、且つ、ホルダ上面に形成したガイド凸部により上限位置が規定される。そして、ホルダの前記折曲部に検出レバーが配設されており、この検出レバーの作用によりケースの誤挿入を検出され、また、この検出レバーがケースの誤挿入に対するストッパの役割を果たすように構成されている。
【０００８】
記録型ＤＶＤのカートリッジなど、従来のカートリッジは、前述したように、平面視で長方形の外形形状を有するため、正規の載置方向とは９０°異なり、長辺１０４が記録再生装置の本体に対向する方向に（つまり、横向きに）誤って載置された場合には、載置されたカートリッジ１０１がトレイからはみ出すことになる。従って、使用者は誤挿入であることを容易に認識できる。また、仮にカートリッジ１０１を横方向に誤って載置していることに使用者が気が付かなくても、横方向に載置すると、トレイからのカートリッジのはみ出し部分が記録再生装置のトレイ引込口と干渉するため、その時点で、使用者は誤載置を確実に認識できる。
また、正規の載置方向とは１８０°異なり、シャッタ１０５が設けられた短辺１０２に対向する短辺１０３が記録再生装置の本体入り口に対向する方向に（つまり、前後逆向きに）誤って載置された場合には、例えば特許文献１にも開示されているように、トレイに設けた基準ピンがカートリッジの凹部と嵌合できないことで、誤載置が検出できる。
【特許文献１】特開平１０−４０６３０号公報
【発明の開示】
【発明が解決しようとする課題】
【０００９】
ところが、近年では、外形形状が平面視で略正方形状のカートリッジも提案されるようになって来ている。例えば、記録型ＤＶＤを記録再生する際に適用される赤色レーザ光よりも波長が短い青色レーザ光を適用することによって記録密度を飛躍的に向上させた、所謂、ブルーレイディスクと称される（以下、ＢＤと略称する）情報記録媒体では、例えば図１８に示すように、カートリッジ２０１の外形は基本的に正方形で、一辺が弓形状に湾曲して外方へ張り出し、この弓形状の辺と対向する対辺の両角には面取りを施し、前記弓形状の辺を記録再生装置の本体入り口に向かう側（以下、前側と称する。また、弓形状の辺を前辺２０３、前側でカートリッジの厚さ方向に広がる壁面を前壁２０３と称する。）に向けて用いられる。このＢＤカートリッジ２０１の場合にも、図１９に示すように、シャッタ２０８及び該シャッタ２０８を回動して開閉させるシャッタ開閉部２０７（図１８参照）が設けられている。
【００１０】
また、前記カートリッジ２０１は、前辺２０３と当該前辺２０３の対辺（以下、後辺２０４と称し、後辺２０４側を後側、後側でカートリッジの厚さ方向に広がる壁面を後壁２０４と称する。）とを繋ぐ一対の側辺２０５及び２０６（以下、これら側辺の厚さ方向に広がる壁面を側壁２０５及び２０６と称する。）を有している。
前記シャッタ２０８は、前壁２０３の一部とカートリッジ２０１の裏面の一部とを切り欠いて形成された窓部（不図示）を開閉可能に覆うもので、シャッタ開閉部２０７は、前記側壁２０５及び２０６の何れか一方（図１８の例では側壁２０５）に設けられている。
【００１１】
このシャッタ開閉部２０７は、図２０に示すように、トレイ２１２の横壁２１０でガイドされており、当該横壁２１０に設けられたシャッタ・オープナ２１１と係合している。そして、このシャッタ・オープナ２１１により、シャッタ２０８が、図２１に示すシャッ閉塞状態と、図２２に示すように開放状態との間で駆動される。このシャッタ２０８が開放されることにより、図２３に示すように、開口部（窓部）２０９から情報記録媒体２０２（ＢＤ２０２）の一部が露出することとなり、その記録再生が行えるようになる。
【００１２】
図２１及び２２は、シャッタ２０８の開閉状態を分かり易くするために、ＢＤカートリッジ２０１の下半分とトレイ２１２との係合関係を示した平面図である。
図２１に示すように、ＢＤカートリッジ２０１を載置するトレイ２１２には、ＢＤカートリッジ２０１の外形を規定するカートリッジ仕切り２１３が形成されているが、ＢＤカートリッジ２０１の外形形状が基本的に正方形であるため、トレイ２１２に載置する際に、ＢＤカートリッジ２０１の前側がトレイ２１２の装置本体への挿入方向（所謂ローディング方向：矢印Ｙ１参照）に向けられた正規の載置方向に対して、１８０°ずれた前後逆向きの誤載置であっても、或いは正規の載置方向に対し±９０°ずれた横向きの誤載置であっても、一見しただけでは、ＢＤカートリッジ２０１はトレイ２１２上に正常に載置されたように見受けられる。このような誤った向きに載置した場合には、ＢＤカートリッジ２０１のシャッタ開閉部２０７は作動しないため、記録再生装置で記録または再生することができない。また、カートリッジ２０１が誤載置状態のままで装置本体内に一旦搬入されてしまうと、このカートリッジ２０１を装置本体から搬出できない場合も生じ得る。
【００１３】
本発明は、かかる従来の技術課題に鑑みてなされたもので、カートリッジがトレイ上に誤載置された際には、操作者にその誤載置を容易に認識させることができるようにすることを目的とする。
【課題を解決するための手段】
【００１４】
このため、本願発明に係るトレイは、平板状の情報記録媒体を内部に収納したカートリッジをトレイベース上に載置し得るトレイであって、前記カートリッジの前記トレイベース上への載置動作に連動して、前記トレイベース上を前記カートリッジのローディング方向に移動し得るスライダと、該スライダを、前記カートリッジが載置されていないときの初期位置と、該初期位置から前記ローディング方向へそれぞれ所定距離だけ離隔した複数の係止位置との間で移動させ得るスライダ移動機構とを備え、前記複数の係止位置として、前記初期位置から前記ローディング方向へ第１の距離だけ離隔した第１の係止位置と、前記初期位置から前記ローディング方向へ前記第１の距離よりも長い第２の距離だけ離隔した第２の係止位置の、少なくとも２つの係止位置が設定されていることを特徴としたものである。
この構成では、カートリッジをトレイ上に載置する際に、スライダの移動距離の違いにより、カートリッジの載置方向が正規の方向であるか不正規の方向であるかを検知でき、カートリッジの誤載置があった場合には、操作者は容易にその誤載置を認識することができる。
【００１５】
本願発明に係るトレイおいては、前記複数の係止位置として、前記初期位置から前記ローディング方向へ前記第２の距離よりも長い第３の距離だけ離隔した第３の係止位置が更に設定されていることが好ましい。
この場合には、カートリッジを正規の載置方向でトレイ上に載置する際におけるスライダの移動距離が異なる（より長い）、つまり形状が異なる他の種類のカートリッジも載置することができる。
【００１６】
また、本願発明に係るトレイは、好ましくは、複数の係止位置から初期位置にスライダを復帰させるスライダ付勢手段を備えている。
かかるスライダ付勢手段を備えることで、カートリッジをトレイ上から取り出した際には、前記スライダを自動的に初期位置へ復帰させることができる。
【００１７】
更に、本願発明に係るトレイでは、より好ましくは、前記スライダがローディング方向へ移動して係止される係止位置を、前記複数の係止位置から選択する選択子が前記スライダに備えられている。
かかる選択子を備えることで、カートリッジをトレイ上に載置する際に、前記選択子によりスライダの係止位置が（つまりスライダの移動距離が）選択され、カートリッジの誤載置が検出できる。
【００１８】
また更に、本願発明に係るトレイでは、より好ましくは、前記スライダが前記複数の係止位置から前記初期位置に復帰するときに、前記選択子を初期状態に復元させる選択子付勢手段が設けられている。
かかる選択子付勢手段を備えることで、カートリッジをトレイ上から取り出され、スライダが初期位置に復帰した際には、前記選択子を自動的に初期状態に復元させることができる。
【００１９】
また更に、本願発明に係るトレイでは、より好ましくは、前記スライダ付勢手段の付勢力は、前記選択子付勢手段の付勢力よりも大きく設定されている。
このように設定されていることにより、両付勢手段の付勢力に抗してカートリッジの載置が行われる際に、選択子に確実な選択動作を行わせることができる。
【００２０】
また更に、本願発明に係るトレイでは、より好ましくは、前記スライダには、カートリッジと対面するカートリッジ対向面からローディング方向に屈曲する屈曲部が設けられている。
スライダにかかる屈曲部を備えたことで、スライダはこの屈曲部またはその近傍でもカートリッジと当接することができ、より狭い幅での誤挿入を検知することも可能になる。
【００２１】
また更に、本願発明に係るトレイでは、より好ましくは、前記スライダが前記ローディング方向に押圧されたとき、前記スライダが前記初期位置から前記第３の係止位置に移動するように設定されている。
この場合、トレイ上への正規の方向への載置動作に伴ってスライダをローディング方向へ押圧する形状を備えたカートリッジについて、正規の方向への載置動作を行わせることができる。
【００２２】
また更に、本願発明に係るトレイでは、より好ましくは、前記スライダが備える前記選択子が前記ローディング方向に押圧されたとき、前記スライダが前記初期位置から前記第２の係止位置に移動するように設定されている。
この場合には、トレイ上への正規の方向への載置動作に伴って選択子をローディング方向へ押圧する形状を備えたカートリッジについても、正規の方向への載置動作を行わせることができる。
【００２３】
また更に、本願発明に係るトレイでは、より好ましくは、前記スライダが備える前記選択子には、前記カートリッジと対向するカートリッジ対向部が設けられ、前記スライダが前記ローディング方向へ移動した際には、前記選択子の前記カートリッジ対向部は前記スライダの前記カートリッジ対向面よりも前記ローディング方向へ移動するように設定されている。
このように設定されていることで、カートリッジをトレイ上に載置する際に、カートリッジに応じたスライダの係止位置が（つまりスライダの移動距離が）選択される。
【００２４】
また更に、本願発明に係るトレイでは、より好ましくは、前記トレイベースには、大径の円板ディスクを載置する大径ディスク載置部が更に設けられ、前記選択子は、前記トレイベースの内方へ伸長する延長部を備えており、前記スライダが初期位置にあるときに、前記延長部の先端は、前記大径ディスク載置部の周縁部の近傍に位置するように設定されている。
この構成により、大径の円板ディスクを大径ディスク載置部に載置する場合に、大径の円板ディスクの外周部を有効にガイドすることができる。
【００２５】
また更に、本願発明に係るトレイでは、より好ましくは、前記トレイは、内部に収納した情報記録媒体と実質的に平行な主面の外形形状が略正方形状（つまり、平面視で略正方形状）で、略弓形状に張り出す前辺と、該前辺と対向し両角部に面取りが施された直線状の後辺と、該後辺と前記前辺とを繋ぐ一対の側辺とを備えたカートリッジを載置可能であり、前記カートリッジの前記トレイベース上への載置動作に伴って前記前辺が前記選択子を前記ローディング方向へ押圧することにより、前記スライダを前記初期位置から前記第２の係止位置まで移動させる。
この場合には、略弓形状に張り出す前辺を有し平面視で略正方形状のカートリッジについて、当該カートリッジをトレイ上に載置する際に、前記選択子によりスライダの係止位置が（つまりスライダの移動距離が）選択されることで、カートリッジの誤載置が検出できる。
【００２６】
また更に、本願発明に係るトレイでは、より好ましくは、トレイ上にカートリッジの後部をローディング方向に向けて載置するとき、前記面取りした両角部が前記選択子に当接し、前記選択子は第１の係止位置を選択し、前記スライダが前記第１の係止位置に係止される。
この場合、カートリッジが前後逆向きに誤載置された際には、スライダが第１の係止位置に係止されることで、カートリッジの誤載置が確実に検知される。
【００２７】
また更に、本願発明に係るトレイでは、より好ましくは、前記トレイにカートリッジの一対の側部の何れかをローディング方向に向けて載置するとき、前記側辺からこれに連続するコーナ部、または前記側辺から前記後辺に連続する面取りした角部の何れかが前記選択子に当接し、当該選択子は第１の係止位置を選択し、前記スライダが前記第１の係止位置に係止される。
この構成では、カートリッジが横向きに誤載置された際には、スライダが第１の係止位置に係止されることで、カートリッジの誤載置が確実に検知される。
【００２８】
また更に、本願発明に係るトレイでは、より好ましくは、前記トレイは、内部に収納した情報記録媒体と実質的に平行な主面の外形形状が略長方形状（つまり、平面視で略長方形状）の第１のカートリッジと、内部に収納した情報記録媒体と実質的に平行な主面の外形形状が略正方形状（つまり、平面視で略正方形状）で、略弓形状に張り出す前辺と、該前辺と対向し両角部に面取りが施された直線状の後辺と、該後辺と前記前辺とを繋ぐ一対の側辺とを備えた第２のカートリッジとを、選択的に載置可能であり、前記第１のカートリッジは、前記トレイベース上への載置動作に伴って前記スライダを前記ローディング方向へ押圧することにより、前記スライダを前記初期位置から前記第３の係止位置まで移動させ、前記第２のカートリッジは、前記トレイベース上への載置動作に伴って前記前辺が前記選択子を前記ローディング方向へ押圧することにより、前記スライダを前記初期位置から前記第２の係止位置まで移動させるように設定されている。
この場合には、外形形状が互いに異なる２つのカートリッジの何れについても有効に適用でき、カートリッジが誤った方向に誤載置された際には、この誤載置を有効に検知することができる。
【００２９】
また更に、本願発明に係るトレイでは、より好ましくは、前記トレイに前記第２のカートリッジの後部をローディング方向に向けて載置するとき、前記後辺の面取りした両角部が前記選択子に当接し、当該選択子は第１の係止位置を選択し、前記スライダが前記第１の係止位置に係止される。
この場合、第２のカートリッジが前後逆向きに誤載置された際には、スライダが第１の係止位置に係止されることで、当該第２のカートリッジの誤載置が確実に検知される。
【００３０】
また更に、本願発明に係るトレイでは、より好ましくは、前記トレイに前記第２のカートリッジの一対の側部の何れかをローディング方向に向けて載置するとき、前記側辺からこれに連続するコーナ部、または前記側辺から前記後辺に連続する面取りした角部の何れかが前記選択子に当接し、当該選択子は第１の係止位置を選択し、前記スライダが前記第１の係止位置に係止される。
この構成では、第２のカートリッジが横向きに誤載置された際には、スライダが第１の係止位置に係止されることで、当該第２のカートリッジの誤載置が確実に検知される。
【００３１】
また、本願発明に係る記録再生装置は、情報信号を情報記録媒体の情報層から光学的に授受する光学ヘッドと、前記情報記録媒体を回転する回転手段と、を含む記録再生手段と、前記情報記録媒体を内部に収納し、該情報記録媒体と実質的に平行な主面に設けられ前記光学ヘッド及び回転手段が挿入可能な窓部と、該窓部を開閉可能に覆うシャッタと、を備えたカートリッジを載置する請求項１〜１７の何れか一に記載のトレイと、前記トレイを、前記カートリッジを着脱させる着脱位置と、前記記録再生手段に対応した記録再生位置との間で、往復動可能に搬送する搬送手段と、を備えたことを特徴としたものである。
かかる記録再生装置によれば、前記情報記録媒体に対して記録再生を行うために、前記カートリッジをトレイ上に載置するに際して、請求項１〜１７の何れか一に記載のトレイで得られる作用効果を奏することができ、カートリッジをトレイ上に載置する際に、スライダの移動距離の違いにより、カートリッジの載置方向が正規の方向であるか不正規の方向であるかを検知でき、カートリッジの誤載置があった場合には、操作者は容易にその誤載置を認識することができる。
【発明の効果】
【００３２】
本発明によれば、平面視で略正方形をなし、略弓形状に湾曲して張り出す前辺と、当該前辺に対向し両角部が面取りされた後辺と、前辺と後辺とを連接する一対の側辺とで外形が形成されるカートリッジについても、トレイへの載置方向が、正規の方向であるか不正規な方向であるかを、操作者が容易に検知することができる。従って、カートリッジが記録再生装置本体に搬入された後、誤載置に起因して記録再生できない、或いは搬入したカートリッジを搬出できないというような不都合が生じることを有効に防止することができる。
【発明を実施するための最良の形態】
【００３３】
以下、添付図面を参照しながら、本発明の実施形態について説明する。
図１は、本発明の第１の実施形態に係るトレイの概略構成を示す斜視図である。図１において、符号１はトレイ、符号１ａはトレイ１の前壁、符号１ｂはトレイ１の横壁、符号１ｃはトレイ１に設けられたカートリッジ位置決め用の凸部、符号１ｄ及び１ｅはカートリッジレスのディスク（収納用のカートリッジを有しない、所謂、裸ディスク）を載置するためのディスク載置面であり、符号１ｄは裸ディスクのうち外径の大きいもの（所謂、大径ディスク：呼び径が１２ｃｍの裸ディスク）を載置するためのもので、また、符号１ｅは裸ディスクのうち外径の小さいもの（所謂、小径ディスク：呼び径が８ｃｍの裸ディスク）を載置するためのものである。
【００３４】
また、符号２及び６はスライダ、符号３及び７はスライダ２及び６をそれぞれ付勢するスライダ付勢手段、符号４及び８は後述するようにスライダ２及び６の係止位置を選択する選択子、符号５及び９はスライダ２及び６それぞれが係止する位置を決める位置決め手段である。前記スライダ付勢手段３及び７は、スライダ２及び６をそれぞれディスク搬出方向（アンローディング方向：矢印Ｙ２方向）に付勢するものである。また、前記選択子４及び８は、後述するように、スライダ２及び６が初期位置からスライドして移動する場合に、第１の係止位置１２及び１６又は第２の係止位置１３及び１７のうちから、係止する位置を選択するものである。
【００３５】
次に、前記スライダ２，選択子４及び位置決め手段５の構成について、図２(ａ)〜(ｃ）を参照しながら説明する。
図２（ａ）は、スライダ２と選択子４との係合関係を示すために、要部を拡大して示した斜視図である。この図に示すように、スライダ２は、前記スライダ付勢手段３（本実施形態ではコイル状の引張バネを適用）により、搬出方向Ｙ２に付勢されている。このスライダ付勢手段３は、一端がスライダ固定部３ａでスライダ２に固定され、他端はトレイ固定部３ｂでトレイ１に固定されている。
【００３６】
前記スライダ２は箱部２ａを備えており、この箱部２ａの内部に、選択子４の基部が収容されている。この選択子４の基部は、前記箱部２ａの上下の壁部に対して、回動軸４ａを介して回動自在に軸支され、選択子付勢手段１０（本実施形態では圧縮コイルバネを適用：図２（ｃ）参照）により、選択子係合部１１がトレイ１の内側方向に付勢されている。
前記スライダ２は、選択子４と共にトレイ１上を（つまり、平板状のトレイベース１ｋ上を）搬入方向Ｙ１に移動または摺動（以下、これら何れについても「移動」と称する）する。なお、箱部２ａの搬出方向Ｙ２側の側壁と、選択子４の搬出方向Ｙ２側に形成された三角形状の頂部（カートリッジと対向するカートリッジ対向部）とは、ほぼ面一をなすように位置設定されている。なお、選択子４の前記カートリッジ対向部は、箱部２aの搬出方向Ｙ２側の壁面に対して搬出方向Ｙ２側に突出させた方が、カートリッジの外形判別精度は向上するため好ましいが、この突出量は、後述する裸ディスクの外周と干渉しない範囲内とする必要がある。
【００３７】
図２（ｂ）は、スライダ２が移動する際に、当該スライダ２の移動位置を規制する位置決め手段５の構成を示すために、要部を拡大して示す斜視図である。この位置決め手段５は、スライダ２の移動動作により、選択子係合部１１が、第１の係止位置１２または第２の係止位置１３と係合し、スライダ２の移動位置を規制するものである。
スライダ２が搬入方向Ｙ１へ移動する前は、選択子係合部１１は、第１の係止位置１２よりも搬出方向Ｙ２に位置する初期位置にあり、スライダ付勢手段３の付勢力によって壁部５ａに係止されている。
スライダ２の箱部２ａが搬入方向Ｙ１へ押圧されると、スライダ付勢手段３の付勢力に抗してスライダ２が移動し、選択子係合部１１は壁部５ａから第１の係止位置１２までトレイ１上を移動する。そして、選択子係合部１１が、第１の係止位置１２に当接することで、スライダ２は第１の係止位置１２に相当する位置に係止される。
【００３８】
一方、選択子４が搬入方向Ｙ１へ押圧されると、先ず、選択子付勢手段１０の付勢力に抗して、選択子係合部１１が回動軸４ａ廻りにほぼ回動限界まで回動してトレイ１の横壁１ｂの方向に移動し、第２の係止位置１３の搬出方向Ｙ２に相当する位置まで移動する。また、スライダ２がスライダ付勢手段３の付勢力に抗して搬入方向Ｙ１に移動し、第２の係止位置１３に選択子係止部１１が当接することで、スライダ２は第２の係止位置１３に相当する位置に係止される。
以上の動作により、スライダ２が押圧される箇所に応じて、選択子４が第１の係止位置１２か第２の係止位置１３かを選択する。つまり、スライダ２は、初期位置から第１の距離または第２の距離まで移動する。なお、回動軸４ａ廻りの回動角が小さい場合には、選択子係合部１１は第１の係止位置１２に対向する壁部５ａの範囲しか回動しないため、選択子４は確実に第１の係止位置１２を選択する。
【００３９】
次に、スライダ６，選択子８及び位置決め手段９の構成を図３(ａ)〜(ｃ）を参照して説明する。尚、この構成は、基本的には、図２(ａ)〜(ｃ）で示された、前記スライダ２，選択子４及び位置決め手段５の構成と同様のものである。
図３（ａ）は、スライダ６と選択子８との係合関係を示すために、要部を拡大して示す斜視図である。この図に示すように、スライダ６は、前記スライダ付勢手段７（本実施形態ではコイル状の引張バネを適用）により、搬出方向Ｙ２に付勢されている。このスライダ付勢手段７は、一端がスライダ固定部７ａでスライダ７に固定され、他端はトレイ固定部７ｂでトレイ１に固定されている。
【００４０】
前記スライダ６は箱部６ａを備えており、この箱部６ａの内部に、選択子８の基部が収容されている。この選択子８の基部は、前記箱部６ａの上下の壁部に対して、回動軸８ａを介して回動自在に軸支され、選択子付勢手段１４（本実施形態では圧縮コイルバネを適用：図３（ｃ）参照）により、選択子係合部１５がトレイ１の内側方向に付勢されている。
前記スライダ６は、選択子８と共にトレイ１上を（つまり、平板状のトレイベース１ｋ上を）搬入方向Ｙ１に移動する。なお、箱部６ａの搬出方向Ｙ２側の側壁と、選択子８の搬出方向Ｙ２側に形成された三角形状の頂部（カートリッジと対向するカートリッジ対向部）とは、ほぼ面一をなすように位置設定されている。なお、選択子８の前記カートリッジ対向部は、箱部６aの搬出方向Ｙ２側の壁面に対して搬出方向Ｙ２側に突出させた方が、カートリッジの外形判別精度は向上するため好ましいが、この突出量は、後述する裸ディスクの外周と干渉しない範囲内とする必要がある。
【００４１】
図３（ｂ）は、スライダ６が移動する際に、当該スライダ６の移動位置を規制する位置決め手段９の構成を示すために、要部を拡大して示す斜視図である。この位置決め手段９は、スライダ６の移動動作により、選択子係合部１５が、第１の係止位置１６または第２の係止位置１７と係合することで、スライダ６の移動位置を規制するものである。
スライダ６が搬入方向Ｙ１へ移動する前は、選択子係合部１５は、第１の係止位置１６よりも搬出方向Ｙ２に位置する初期位置にあり、スライダ付勢手段７の付勢力によって壁部９ａに係止されている。
スライダ６の箱部６ａが搬入方向Ｙ１へ押圧されると、スライダ付勢手段７の付勢力に抗してスライダ６が移動し、選択子係合部１５は壁部９ａ付近の初期位置から第１の係止位置１６までトレイ１上を移動する。そして、選択子係合部１５が、第１の係止位置１６に当接することで、スライダ６は第１の係止位置１６に相当する位置に係止される。
【００４２】
一方、選択子８が搬入方向Ｙ１へ押圧されると、先ず、選択子付勢手段１４の付勢力に抗して、選択子係合部１５が回動軸８ａ廻りにほぼ回動限界まで回動してトレイ１の横壁１ｂの方向に移動し、第２の係止位置１７の搬出方向Ｙ２に相当する位置まで移動する。また、スライダ６がスライダ付勢手段７の付勢力に抗して搬入方向Ｙ１に移動し、第２の係止位置１７に選択子係止部１５が当接することで、スライダ６は第２の係止位置１７に相当する位置に係止される。
以上の動作により、スライダ６が押圧される箇所に応じて、選択子８が第１の係止位置１６か第２の係止位置１７かを選択する。つまり、スライダ６は、初期位置から第１の距離または第２の距離まで移動する。なお、回動軸８ａ廻りの回動角が小さい場合には、選択子係合部１５は第１の係止位置１６に対向する壁部９ａの範囲しか回動しないため、選択子８は確実に第１の係止位置１６を選択する。
【００４３】
本実施形態では、選択子４の選択子係合部１１が、位置決め手段５の初期位置，第１の係止位置１２及び第２の係止位置１３と係合する際には、位置決め手段５の上方から選択子係合部１１の係合凸部が係合するように構成している。一方、選択子８の選択係合部１５が、位置決め手段９の初期位置，第１の係止位置１６及び第２の係止位置１７と係合する際には、位置決め手段９の下方から選択子係合部１５の係合凸部が係合するように構成している。このような構成を採用することで、選択子４及び８を同一形状とすることができ、選択子４及び８を安価に生産することができるという利点が得られる。
尚、選択子係合部１１，１５の係合凸部が位置決め手段５，９に対して係合する方向を、同一方向に設定することも可能であることは言うまでも無い。
【００４４】
また、本実施形態では、スライダ付勢手段３及び７は共に引張コイルバネで構成したが、これに限定されるものではなく、例えば、板バネ，圧縮コイルバネ，捩りコイルバネなど、他の種類のバネを適用することもできる。更に、選択子付勢手段１０及び１４は共に圧縮コイルバネで構成したが、これについても、板バネ，引張コイルバネ，捩りコイルバネなど、他の種類のバネを適用することができる。
また更に、スライダ付勢手段３及び７の付勢力が、選択子付勢手段１０及び１４の付勢力よりも大きく設定されている。このような構成とすることにより、選択子４又は８が押圧されて、選択子係合部１１又は１５が位置決め手段５又は９の対応する位置に回動した後、スライダ２又は６が移動するという順番を確実に行える。つまり、両付勢手段の付勢力に抗してスライダが搬入方向へ移動する際に、選択子に確実な選択動作を行わせることができる。
【００４５】
次に、図１に示したトレイ１を、記録再生装置のカートリッジローディング用のトレイとして用いた例について、添付図面を参照しながら説明する。
図４は、図１のトレイ１の構成を示す平面図である。カートリッジは、ローディング方向（搬入方向）Ｙ１及びアンローディング方向（搬出方向）Ｙ２のうち、ローディング方向に沿うようにしてトレイ１上に載置される。
図５は、カートリッジの外形形状が、平面視で略正方形で、弓形形状の前辺と両角が面取りされた後辺とを有する第２のカートリッジ２０１（例えば、ＢＤカートリッジ）が、正規の載置方向に載置された状態を示している。この第２のカートリッジ２０１では、正規の載置方向とは、カートリッジ２０１の前部（前壁２０３）がローディング方向を向くようにして載置した方向である。
【００４６】
図４と図５とを対比して明らかなように、第２のカートリッジ２０１の前壁２０３が、スライダ２に備えられた選択子４の側壁及びスライダ６に備えられた選択子８の側壁に当接することにより、選択子係合部１１及び１５は共に、初期位置から第２の係止位置１３及び１７との係合位置に対応した位置まで回動する。その後、スライダ２及び６が搬入方向Ｙ１に第２の距離だけ移動することにより、第２のカートリッジ２０１がトレイ１上に正常に（正規の載置方向に）載置できる。
スライダ２が第２の係止位置１３まで搬入方向Ｙ１に移動することにより、スライダ２の側面がカートリッジ検出スイッチ１ｇをＯＮにし、不図示の記録再生装置本体に備えられたトレイローディング機構の動作を開始させ、第２のカートリッジ２０１が収納した情報記録媒体２０２に対し記録または再生が行われる。
【００４７】
図６は、第２のカートリッジ２０１が、正規の載置方向から１８０°ずれて後部が搬入方向Ｙ１を向くようにして（つまり、前後逆向きにして）、トレイ１上に載置され様子を示している。
この場合には、図６に示すように、後壁２０４が選択子４及び８を搬入方向Ｙ１に押圧することにより、選択子係合部１１及び１５がそれぞれトレイ１の横壁１ｂ側に回動する。ところが、選択子係合部１１及び１５が回動限界近傍まで回動しない間に、後壁２０４の両面取り部がスライダ２及び／又は６に当接（図６の例ではスライダ２の屈曲部２ｂ又はその近傍のみに当接）するため、スライダ２及び／又は６（図６の例ではスライダ２のみ）が搬入方向Ｙ１に移動する。このとき、選択子係合部１１及び１５は、その回動量が不充分であるので、初期位置から第１の係止位置１２及び１６までしか回動しておらず、スライダ２及び６は第１の係止位置に係止する。
【００４８】
従って、この場合には、第２のカートリッジ２０１はトレイ１の前壁１ａから突出した状態で係止されることで、操作者は第２のカートリッジ２０１を誤載置したことに気がつく。また、操作者が誤載置に気が付かない場合でも、スライダ２が第１の係止位置で係止していると、検出スイッチ１ｇはＯＦＦのままであるため、記録再生装置本体のトレイローディング機構が動作しない。従って、記録再生装置は第２のカートリッジ２０１を記録再生装置本体にローディングすることはない。
その結果、第２のカートリッジ２０１を記録再生装置本体に誤搬入し、誤搬入した第２のカートリッジ２０１を搬出できないという課題が抑制できる。すなわち、操作者は、第２のカートリッジ２０１を誤載置していることを確実に認識できると共に、第２のカートリッジ２０１の誤載置に起因して発生するトラブルを未然に防止することができる。
【００４９】
図７は、第２のカートリッジ２０１を正規の載置方向に対し９０°ずらして（つまり横向きにして）、その側部が搬入方向Ｙ１に向くようにして、すなわち、シャッタ開閉部２０７を備える側壁２０５をトレイ１の前壁１ａ側にして誤載置した場合を示している。
この場合でも、搬入方向Ｙ１側の側壁２０６の直線部が選択子４及び８を押圧するが、回動限界に回動するまでに、側壁２０６と前壁２０３との間の面取りを施した角部が、スライダ２の屈曲部２ｂ又はその近傍に当接し、また、カートリッジ２０１の側壁２０６と後壁２０４との間の面取りを施した角部が、スライダ６の屈曲部６ｂ又はその近傍に当接するため、選択子係合部１１及び１５は、第１の係止位置１２及び１６に対応する位置までしか回動できない。
【００５０】
従って、スライダ２及び６は、第１の係止位置１２及び１６までしか搬入方向Ｙ１に移動することができず、その結果、第２のカートリッジ２０１はトレイ１の前壁１ａから突出し、しかも、検出スイッチ１ｇも動作しないため、操作者は第２のカートリッジ２０１を誤載置したことを確実に認識できる。
【００５１】
以上のように、本実施形態のトレイ１を記録再生装置に適用した場合、第２のカートリッジ２０１の誤載置を完全に防止することができる。特に、記録再生装置としての品位向上等を目的として、図１に示したように、前壁１ａ及び横壁１ｂのカートリッジ載置面１ｆからの高さを低く設定した場合においても、第２のカートリッジ２０１の誤載置を完全に防止できるため有用である。
【００５２】
なお、誤載置には表裏を誤って載置する誤載置もあるが、本実施形態で例示した第２のカートリッジ２０１の場合、片側（カートリッジ載置面１ｆに密着する面）のみから記録再生できるいわゆる片面タイプのカートリッジであり、第２のカートリッジ２０１には、表裏を判別する判別凹部２０５ａ及び２０６ａが備えられている。従って、当該判別凹部２０５ａ及び２０６ａと位置決め凸部１ｃとが係合することで誤載置を未然に防ぐことができる。
【００５３】
また、本実施形態では、スライダ２及び６の箱部２ａ及び６ａは、互いに若干異なる形状を備えていたが、本発明は、かかる構成に限定されるものではなく、上記箱部２ａ及び６ａの形状を、ローディング方向Ｙ１に直交するトレイ１の中心線に関して、対称な同一形状に設定しても何ら問題はない。この場合には、スライダ２及び６を区別する必要を無くすることが可能になり、生産性の向上を図ることができる。
尚、前記屈曲部２ｂ及び６ｂの位置は、適用するカートリッジの外形形状に応じて最適位置に選択される。
更に、本実施形態では、一対のスライダと一対の選択子を備えた構成であったが、本発明は、かかる構成に限定されるものではなく、片側のスライダには選択子及び位置決め手段が設けられていない構成であっても、トレイの動作は同様に達成できる。
【００５４】
次に、本発明の第２の実施形態について説明する。
尚、第２の実施形態の説明において、前述の第１実施形態における場合と同一の構成を有する要素には同一符号を付し、それ以上の詳細な説明は省略する。
図８は、第２の実施形態に係るトレイの全体構成を概略的に示す斜視図である。図１の構成と異なる点としては、位置決め手段１９及び２１が、位置決め手段５及び９に第３の係止位置２０及び２２を備えた構成である点と、スライダ２と６との間にシャッタ開閉手段１８を更に備える点だけである。
【００５５】
この変更点のうち、位置決め手段１９とスライダ２及び選択子４との関係を図９（ａ）〜（ｃ）に、また、位置決め手段２１とスライダ６及び選択子８との関係を図１０（ａ）〜（ｃ）に示す。
図９（ａ）は、本実施形態で適用したスライダ２の要部を拡大して示した斜視図であり、その構成は、図２（ａ）を参照して述べた説明と同一である。図９（ｂ）は、本実施形態で適用した位置決め手段１９の要部を拡大して示した斜視図である。第１の係止位置１２及び第２の係止位置１３自体は、図２（ｂ）の位置決め手段５の場合と同様である。位置決め手段１９が新たに備える特徴点は、第３の係止位置２０を有することである。
【００５６】
本実施形態においても、選択子係合部１１が、第１の係止位置１２，第２の係止位置１３及び第３の係止位置２０と係合する際には、第１実施形態における場合と同様に、選択子係合部１１の係合凸部が上方から係合する。また、選択子係合部１１は、初期状態では、選択子付勢手段１０（図９（ｃ）参照）の付勢力で選択子４が回動軸４ａ廻りに回動することで、第３の係止位置２０側に位置し、且つ、スライダ付勢手段３の付勢力によって壁部１９ａの窪みの初期位置に位置する。
スライダ２，選択子４及び位置決め手段１９が組み付けられた状態において、初期状態では、選択子係合部１１は初期位置の窪みに存在するが、この状態で箱部２ａがＹ１方向へ押圧されると、選択子係合部１１はそのまま直線状に第３の係止位置２０近傍に移動し、スライダ２は第３の係止位置２０に相当する位置で係止する。
スライダ２の第３の係止位置２０への位置決めは、選択子係合部１１が第３の係止位置２０の奥壁に当接することによって行うことができる。この代わりに、箱部２ａ又はそのガイド片（不図示）が位置決め手段１９に設けたストッパ部（不図示）に当接することによって行われるようにすることもできる。
【００５７】
選択子４を回動軸４ａ廻りに回動限界近くまで押圧する場合、選択子４を回動させる押圧力は、第２のカートリッジ２０１をＹ１方向に押圧することで発生するものであるため、選択子係合部１１にもＹ１方向の押圧力が作用する。そして、選択子係合部１１は前述の初期位置の窪みから、第１の係止位置１２と対向する壁部１９ａを経て第２の係止位置１３のＹ２側の壁部１９ａまで移動する。その状態で、箱部２ａを（すなわち、スライダ２を）搬入方向Ｙ１に押圧すると、選択子係合部１１はそのまま搬入方向Ｙ１に移動し、第２の係止位置１３の近傍で選択子係合部１１の係合凸部が移動する。すなわち、スライダ２は第２の係止位置１３に相当する位置で係止する。
【００５８】
選択子係合部１１が、回動限界近傍に至らない範囲内で回動軸４ａ廻りに回動する（つまり、選択子係合部１１が前述の第２の係止位置１３に係止させるより短い距離で選択子４を搬入方向Ｙ１に押圧する）場合には、選択子係合部１１は第１の係止位置１２に対向する壁部１９ａの範囲までしか回動しないため、箱部２ａを搬入方向Ｙ１に押圧すると、選択子係合部１１は第１の係止位置１２に当接し、スライダ２は第１の係止位置１２に相当する位置で係止する。
【００５９】
図１０（ａ）は、本実施形態で適用したスライダ６の要部を拡大して示す斜視図で、その構成は図３（ａ）を参照して述べた説明と同一である。また、図１０（ｂ）は、本実施形態で適用した位置決め手段２１の要部拡大斜視図である。第１の係止位置１６及び第２の係止位置１７自体は図３（ｂ）の位置決め手段５における場合と同様である。位置決め手段２１が新たに備える特徴点は、第３の係止位置２２を有することである。
本実施形態においても、選択子係合部１５が、第１の係止位置１６，第２の係止位置１７及び第３の係止位置２２と係合する場合は、第１の実施形態における場合と同様に、選択子係合部１５の凸部が位置決め手段２１の箱上の空隙の中側から上側に向けて係合する。選択子係合部１５は、初期状態では選択子付勢手段１４（図１０（ｃ）参照）の付勢力で選択子８が回動軸８ａの廻りに回動し、第３の係止位置２２側で、且つ、スライダ付勢手段７の付勢力によって壁部２１ａの近傍の初期位置に位置する。
【００６０】
スライダ６，選択子８及び位置決め手段２１が組み付けられた状態においては、初期状態では、前述したように選択子係合部１５は初期位置に位置するが、この状態で箱部６ａを搬入方向Ｙ１に押圧すると、選択子係合部１５はそのまま直線状に第３の係止位置２２近傍に移動し、スライダ６は第３の係止位置２２に相当する位置で係止する。
スライダ６の第３の係止位置２２への位置決めは、選択子係合部１５が第３の係止位置２２の奥壁に当接することによって行うことができる。この代わりに、箱部６ａ又はそのガイド片（不図示）が位置決め手段２１に設けたストッパ部（不図示）に当接することによって行われるようにすることもできる。
選択子８を回動軸８ａ廻りに回動限界近くまで押圧すると、僅かに働くＹ１方向の押圧力が選択子係合部１５に作用することで、選択子係合部１５は前述の初期位置から第１の係止位置１６と対向する壁部２１ａ近傍を経て第２の係止位置１７のＹ２側まで移動する。そして、その状態で箱部６ａ（すなわち、スライダ６）をＹ１側に押圧すると、選択子係合部１５はそのままＹ１方向に移動し、第２の係止位置１７近傍で選択子係合部１５の凸部が移動する。つまり、スライダ６は、第２の係止位置１７に相当する位置で係止する。
【００６１】
選択子係合部１５を回動限界近傍に至らない範囲で回動軸８ａ廻りに回動する（つまり、選択子係合部１５が、前述の第２の係止位置１７に係止させるより短い距離で選択子８をＹ１側に押圧する）と、選択子係合部１５は、第１の係止位置１６に対向する壁部２１ａ近傍の範囲までしか回動しないため、箱部６ａをＹ１方向に押圧すると選択子係合部１５は第１の係止位置１６に当接し、スライダ６は第１の係止位置１６に相当する位置で係止する。
【００６２】
次に、図８に示したトレイ１を記録再生装置のカートリッジローディング用のトレイとして用いた例について図面を参照しながら説明する。
図１１は、図８のトレイ１の構成を示す平面図である。ローディング方向Ｙ１及びアンローディング方向Ｙ２のうち、ローディング方向Ｙ１に沿うようにしてカートリッジを載置する。
図１２は、カートリッジの外形形状が平面視で略長方形の第１のカートリッジ（例えばＤＶＤ−ＲＡＭカートリッジ）１０１を載置した状態を示している。この第１のカートリッジ１０１では、一方の短辺（以下、前辺または前壁と称す）１０２から、内部に収納した情報記録媒体の面に対し略平行な主面にかけて、当該情報記録媒体の一部を露出する窓部（不図示）が設けられると共に、この窓部を開閉自在に覆うシャッタ１０５を備えている。
【００６３】
図１１と図１２とを対比すると明らかなように、第１のカートリッジ１０１の長辺（以下、側辺または側壁と称す）１０４のシャッタ側の両端部が、スライダ２の箱部２ａ及びスライダ６の箱部６ａそれぞれを押圧するため、選択子４の選択子係合部１１は位置決め手段１９の第３の係止位置２０近傍にまで移動し、選択子８の選択子係合部１５は位置決め手段２１の第３の係止位置２２近傍まで移動する。
従って、スライダ２及び６は第３の係止位置２０及び２２それぞれに対応する位置まで移動し、シャッタ開閉手段１８とシャッタ１０５とが係合する。そして、不図示のシャッタ開閉機構の移動により、シャッタ１０５は破線で示した窓部開放位置まで移動する。シャッタ１０５が窓部開放位置まで移動しても、シャッタ開閉手段１８と係合するシャッタ１０５の突起部に選択子８が当接しないように、選択子８のカートリッジ対向部８ｃは当該突起部よりもＹ１方向に位置する（本実施形態では回動する）とともに、スライダ６には屈曲部６ｃが設けられている。このように、第１のカートリッジ１０１の窓部を開放することで、収納した情報記録媒体に対し記録または再生動作が可能となる。
【００６４】
尚、シャッタ開閉機構及び／又はトレイローディング機構は、スライダ２の側面がカートリッジの正常載置（正規の方向での載置）を検出する検出スイッチ１ｈをＯＮにすることで動作を開始させることができる。そのため、第１のカートリッジ１０１が正常に載置されて初めてこれらの動作が開始させることができ、第１のカートリッジ１０１の誤載置に起因するトラブルの発生を防止することができる。
【００６５】
図１３は、カートリッジの外形形状が平面視で略正方形をなし、略弓形形状の前辺と両角に面取りされた後辺とを有する第２のカートリッジ２０１（例えばＢＤカートリッジ）を、前部（前壁２０３）を搬入方向Ｙ１に向けてトレイ１上に正規の方向に載置した状態を示している。
図１１と図１３とを対比して明らかなように、第２のカートリッジ２０１の前壁２０３が、スライダ２に備える選択子４の側壁及びスライダ６に備える選択子８の側壁に当接することにより、選択子係合部１１及び１５は共に初期位置から第２の係止位置１３及び１７と係合する位置まで回動し、その後、スライダ２及び６が搬入方向Ｙ１に第２の距離だけ移動して、第２のカートリッジ２０１がトレイ１上に正常に載置される。スライダ２が第２の係止位置１３まで搬入方向に移動することにより、スライダ２の側面がカートリッジ検出スイッチ１ｇをＯＮにし、不図示の記録再生装置本体に備えるトレイローディング機構の動作を開始させ、第２のカートリッジ２０１が収納する情報記録媒体２０２に対し記録または再生が行われる。
【００６６】
図１４は、第２のカートリッジ２０１を正常方向に対し１８０°ずらし、カットリッジ２０１の後部を搬入方向Ｙ１に向けて（つまり、前後逆向きにして）トレイ１上に載置した状態を示している。この図に示すように、後壁２０４が選択子４及び８を搬入方向Ｙ１に押圧することにより、選択子係合部１１及び１５がそれぞれトレイ１の横壁１ｂ側に回動する。
ところが、選択子係合部１１及び１５が回動限界近傍まで回動しない間に、後壁２０４の両面取り部がスライダ２及び／又は６に当接（図１４の例では、スライダ２の屈曲部２ｂ又はその近傍のみに当接）するため、スライダ２及び／又は６（図１４の例では、スライダ２のみ）が搬入方向Ｙ１に移動する。選択子係合部１１及び１５については回動量が不充分であることから、初期位置から第１の係止位置１２及び１６までしか回動せず、スライダ２及び６は第１の係止位置に相当する位置で係止する。
【００６７】
従って、第２のカートリッジ２０１は、レイ１の前壁１ａから突出した状態で係止することとなり、操作者は第２のカートリッジ２０１を誤載置したことに気が付く。また、操作者が誤載置に気がつかない場合でも、スライダ２が第１の係止位置で係止していると、検出スイッチ１ｇはＯＦＦのままであるため、記録再生装置本体のトレイローディング機構が動作しないため、第２のカートリッジ２０１を記録再生装置本体にローディングすることはない。その結果、第２のカートリッジ２０１を記録再生装置本体に誤搬入し、誤搬入した第２のカートリッジ２０１を搬出できなくなるという課題が解消できる。
【００６８】
図１５は、第２のカートリッジ２０１を正常方向に対し９０°ずらし（つまり、横向きにして）、シャッタ開閉部２０７を備える側部（側壁２０５）を搬入方向Ｙ１に向けて誤載置された場合を示している。この場合でも、搬入方向Ｙ１側の側壁２０６の直線部が選択子４及び８を押圧するが、回動限界に回動するまでに側壁２０６と前壁２０３との間の面取りを施した角部が、スライダ２の屈曲部２ｂ又はその近傍に当接し、また、側壁２０６と後壁２０４との間の面取りを施した角部が、スライダ６の屈曲部６ｂ又はその近傍に当接するため、選択子係合部１１及び１５は第１の係止位置１２及び１６までしか回動できず、その間に、スライダ２と６とが第１の係止位置までしか搬入方向Ｙ１に移動できない。その結果、第２のカートリッジ２０１はトレイ１の前壁１ａから突出し、また、検出スイッチ１ｇも動作しない。
【００６９】
このように、トレイ１に対し第２のカートリッジ２０１の載置する方向によって、正規の載置方向であるか不正規の載置方向であるかを正確に検出できる。尚、本実施形態で説明したトレイ１には、選択子４及び８をそれぞれ備えた一対のスライダ２及び６が設けられていたが、一方に選択子を備えたスライダを設け、他方には選択子を具備しないスライダを設けるように構成した場合でも、第２のカートリッジ２０１に対する誤載置検出の原理及び効果は同じである。
【００７０】
図１６は、第２のカートリッジ２０１を前壁２０３と側壁２０５との連接部分を前側とし、トレイ１の横壁１ｂの方向から（つまり、斜め方向から）装着する途上を示す平面図である。
この場合にも、当該連接部が選択子８に当接し、選択子係合部１５は第２の係止位置１７に対向する壁部２１ａ近傍まで回動するが、スライダ２の屈曲部２ｂが選択子４及び側壁２０５と当接するため、選択子係合部１１は第１の係合位置１２の範囲内で搬出方向Ｙ２に対向する壁部１９ａに位置することとなる。これにより、第２のカートリッジ２０１の斜め方向からの誤載置を防止することができる。
尚、第２のカートリッジ２０１の載置方向が、ローディング方向Ｙ１及びアンローディング方向Ｙ２に対し斜め方向の場合についても、トレイ１には一対のスライダ２及び６を備えているので、トレイ１の右斜め側および左斜め側の何れの斜め方向からの誤載置についても、その誤載置の検出が確実に行える。
【００７１】
以上のように、本実施形態のトレイ１を記録再生装置に適用することにより、第１のカートリッジ１０１の誤載置と、第２のカートリッジ２０１の誤載置の両方を防止することができる。特に、記録再生装置としての品位向上等を目的として、図１に示したように前壁１ａ及び横壁１ｂのカートリッジ載置面１ｆからの高さを低く設定した場合についても、本実施形態のトレイ１では、第１のカートリッジ１０１及び第２のカートリッジ２０１の誤載置を有効に防止できる。
【００７２】
また、裏表逆の誤載置については、本実施形態で例示した第１のカートリッジ１０１及び第２のカートリッジ２０１の場合、片側（すなわち、カートリッジ載置面１ｆに密着する面）のみから記録再生できるいわゆる片面タイプのカートリッジであれば、第１のカートリッジ１０１には表裏を判別する判別凹部（不図示）が、また第２のカートリッジ２０１には表裏判別する判別凹部２０５ａ及び２０６ａが、それぞれ備えられており、当該判別凹部（第２のカートリッジの場合は凹部２０５ａ及び２０６ａ）と位置決め凸部１ｃとが係合することで、誤載置を未然に防ぐことができる。
一方、第１のカートリッジ１０１及び第２のカートリッジ２０１が共に両面から記録再生可能である場合には、表裏の区別を付ける必要がないばかりでなく、両面記録再生対応のカートリッジの場合には左右対称の外形形状を備えるため、本実施形態における誤載置防止機構は当然動作することができる。
【００７３】
更に、例えば検出スイッチ１ｇ及び１ｈ等のカートリッジ検出手段をカートリッジの外形に応じて独立して備える構成を採用することにより、第１のカートリッジ１０１と第２のカートリッジとで、例えば用いる光源が異なる場合、収納した情報記録媒体の線速度が異なる場合、信号処理方式が異なる場合、情報記録媒体の容量の差に起因して圧縮効率が変化する場合等にも、操作者の手を煩わせることなく対応することができる。
【００７４】
尚、以上の説明では、第１のカートリッジ１０１は、平面視で長方形状で、シャッタ１０５の開閉動作を、当該シャッタ１０５を備えた短辺側からシャッタ開閉手段１８が係合することで行うように構成されていた。このため、シャッタ開閉手段１８の開放動作時に、スライダ６の側面が前記シャッタ開閉手段１８と干渉することがないように、スライダ６のカートリッジに対向する面に備える屈曲部６ｂは、横壁１ｂに比較的近い位置に設けられており、この点において、スライダ２とは若干形状が異なっている。
【００７５】
しかしながら、第１のカートリッジ１０１のシャッタ１０５の開閉手段も、第２のカートリッジ２０１のように例えば側壁２０７に備えられている場合には、スライダ６もスライダ２と同一形状にすることができ、スライダ２，６の製造や部品管理を効率良く行えるようになる。
また、図１に示されたトレイ１の場合には、スライダ２，６の係止位置が第１と第２の２つしか設定されておらず、実際上は第２のカートリッジ専用のものである。従って、この場合には、スライダ２とスライダ６とで形状を異ならせる必要はなく、両者を同一形状としても、何ら差し支えはない。尚、この第２のカートリッジ専用のトレイにおいても、スライダ２，６の形状を前述のように異ならせることにより、図８に示されるような第１カートリッジ及び第２カートッリジ共用のものと、図１に示されるような第２カートリッジ専用のものとで、スライダ２及びスライダ６をそれぞれ共用することができる。
【００７６】
更に、以上の説明では、第２のカートリッジ２０１の形状は平面視で略正方形であったが、第１のカートリッジ１０１と同様に平面視で略長方形状をなし、シャッタが係合する短辺が弓形形状または凸三角形状等の場合であっても、前壁２０３から装着した正規の載置状態と後壁２０４から装着した不正規の載置状態との判定を、全く同様に行うことができる。この場合には、横方向からの装着は、第１のカートリッジ１０１と同じ理由で、誤載置を操作者が容易に検知できる。
【００７７】
また更に、以上の説明では、第１のカートリッジ１０１のシャッタ１０５と係合する短辺１０２が直線形状であったが、第２のカートリッジ２０１の前辺２０３と同様の形状の場合でも、先の実施形態と全く同じ構成で、第１のカートリッジ１０１と第２のカートリッジ２０１の誤載置防止が達成できる。また、検出スイッチ１ｇと１ｈとを備えるとカートリッジの種別検出も可能である。
【００７８】
また更に、以上の説明では、第２のカートリッジ２０１の前辺が弓形に張り出すように湾曲していたが、この代わりに、例えば三角形状等のカートリッジ本体から張り出した他の形状でも適用でき、第２のカートリッジの前辺画弓形形状と三角形状であっても、選択子のスライダ内での回動角度及び／又は位置決め手段の係止位置の配置等を若干変更するだけで、適応することができる。
【００７９】
また更に、スライダ２，６の選択子４，８にトレイ１の内方へ向かって伸長する延長部を設けるようにしても良い。
前記ＢＤカートリッジの場合、周知のように、比較的厚さのあるシャッタ開閉機構が下面側に設けられることもあり、その厚さ方向について、内部に収納された情報記録媒体よりも下方部分が比較的厚く設定される。このため、第２のカートリッジ２０１として所謂ＢＤカートリッジを適用した場合、記録再生装置に使用される際には、光ピックアップ及びターンテーブル等の機構部品を、トレイに対して比較的上方まで挿入する必要があり、トレイの開口部をそれだけ大きく設定する必要がある。
【００８０】
このため、図２４に示すように、カートリッジレスの所謂裸ディスクとしての小径ディスクＤ２（呼び径８ｃｍの裸ディスク）を小径ディスク載置面１ｅ上に載置して使用する際に、状況によっては、比較的大きく設定された前記トレイ開口部１Ｈから脱落することも考えられる。
【００８１】
そこで、図２５，図２６に示すように、スライダ２，６の選択子４，８にトレイ１の内方へ向かって所定長さだけ伸長する延長部４ｊ，８ｊを設けておき、スライダ２，６が初期位置にある場合には、前記延長部４ｊ，８ｊの先端部４ｋ，８ｋが、大径ディスク載置面１ｄの周縁部の近傍に位置するように設定することで、大径ディスクＤ１（呼び径１２ｃｍの裸ディスク）を大径ディスク載置面１ｄ上に載置する際のガイドとなり、載置し易くなる。また、小径ディスクＤ２を小径ディスク載置面１ｅ上に載置して使用する場合には、小径ディスクＤ２のある程度以上の前方移動を規制し、当該ディスクＤ２がトレイ開口部１Ｈから脱落することを有効に抑制できるのである。
【００８２】
尚、上述の実施形態では、選択子の構成として、カートリッジ載置面に対し平行な面内を回動する構成を挙げて説明したが、本発明の選択子は、カートリッジの外形形状を検知し、スライダ移動機構の移動量を規制する機能を備えればよく、例えば、第１の係止位置，第２の係止位置及び第３の係止位置をそれぞれカートリッジ載置面に対し垂直な方向に備え、選択子の係合部がカートリッジの外形と係合することにより、垂直方向に移動する構成等であっても適用できる。すなわち、スライダが初期位置から第１の係止位置，第２の係止位置または第３の係止位置の何れかに移動した際に、カートリッジに対向する選択子のカートリッジ対向部が、カートリッジに対向するスライダのカートリッジ対向面よりもローディング方向に移動する構成を満足すれば、選択子の移動方向は自由に選ぶことができる。
【００８３】
以上のように、本発明によれば、平面視で略正方形をなし、略弓形状に湾曲して張り出す前辺と、当該前辺に対向し両角部が面取りされた後辺と、前辺と後辺とを連接する一対の側辺とで外形が形成されるカートリッジについても、トレイへの載置方向が、正規の方向であるか不正規な方向であるかを、操作者が容易に検知することができる。従って、カートリッジが記録再生装置本体に搬入された後、誤載置に起因して記録再生できない、或いは搬入したカートリッジを搬出できないというような不都合が生じることを有効に防止することができるのである。
【産業上の利用可能性】
【００８４】
本発明は、例えば、映像用，音楽用，コンピュータ・データ用等の情報記録媒体を収納したカートリッジを載置するトレイ及びかかるトレイを備えた記録再生装置において利用することができ、トレイへのカートリッジの誤載置を有効に防止することができる。
【００８５】
尚、本発明は、以上の実施態様に限定されるものではなく、その要旨を逸脱しない範囲において、種々の変更や改良を加え得るものであることは言うまでもない。
【図面の簡単な説明】
【００８６】
【図１】本発明の第１の実施形態に係るトレイの全体構成を示す斜視図である。
【図２】（ａ）は前記トレイに設けられた一方のスライダの斜視図、（ｂ）は前記トレイに設けられた一方の位置決め部の斜視図、（ｃ）は図２（ａ）のＷ２ｃ−Ｗ２ｃ線に沿った部分断面説明図である。
【図３】（ａ）は前記トレイに設けられた他方のスライダの斜視図、（ｂ）は前記トレイに設けられた他方の位置決め部の斜視図、（ｃ）は図３（ａ）のＷ３ｃ−Ｗ３ｃ線に沿った部分断面説明図である。
【図４】前記トレイの平面説明図である。
【図５】前記トレイ上へのカートリッジの正規の載置状態を示す平面説明図である。
【図６】前記トレイ上へのカートリッジの前後逆向きでの不正規な載置状態を示す平面説明図である。
【図７】前記トレイ上へのカートリッジの横向きでの不正規な載置状態を示す平面説明図である。
【図８】本発明の第２の実施形態に係るトレイの全体構成を示す斜視図である。
【図９】（ａ）は第２の実施形態に係るトレイに設けられた一方のスライダの斜視図、（ｂ）はこのトレイに設けられた一方の位置決め部の斜視図、（ｃ）は図９（ａ）のＷ９ｃ−Ｗ９ｃ線に沿った部分断面説明図である。
【図１０】（ａ）は第２の実施形態に係るトレイに設けられた他方のスライダの斜視図、（ｂ）はこのトレイに設けられた他方の位置決め部の斜視図、（ｃ）は図１０（ａ）のＷ１０ｃ−Ｗ１０ｃ線に沿った部分断面説明図である。
【図１１】第２の実施形態に係るトレイの平面説明図である。
【図１２】第２実施形態のトレイ上への第１カートリッジの正規の載置状態を示す平面説明図である。
【図１３】第２実施形態のトレイ上への第２カートリッジの正規の載置状態を示す平面説明図である。
【図１４】第２実施形態のトレイ上への第２カートリッジの前後逆向きでの不正規な載置状態を示す平面説明図である。
【図１５】第２実施形態のトレイ上への第２カートリッジの横向きでの不正規な載置状態を示す平面説明図である。
【図１６】第２実施形態のトレイ上への第２カートリッジの斜め向きでの不正規な載置状態を示す平面説明図である。
【図１７】平面視で略長方形状の（第１）カートリッジの一例を示す平面説明図である。
【図１８】平面視で略正方形状の（第２）カートリッジの一例を示す斜視図である。
【図１９】前記第２カートリッジの平面説明図である。
【図２０】前記第２カートリッジのシャッタ開閉機構を示す斜視図である。
【図２１】従来例に係るトレイ上へのカートリッジの載置状態を示す平面説明図である。
【図２２】他の従来例に係るトレイ上へのカートリッジの載置状態を示す平面説明図である。
【図２３】前記第２カートリッジの裏面側を示す説明図である。
【図２４】本発明の実施形態の変形例に係るトレイを示す平面説明図である。
【図２５】前記変形例のトレイに備えられた一方のスライダを示す斜視図である。
【図２６】前記変形例のトレイに備えられた他方のスライダを示す斜視図である。
【符号の説明】
【００８７】
１  トレイ
２，６  スライダ
４，８  選択子
４ｊ，８ｊ  延長部
５，９  位置決め手段
１２，１６  第１の係止位置
１３，１７  第２の係止位置
２０，２２  第３の係止位置
１０１  第１のカートリッジ
２０１  第２のカートリッジ
【図１】
2004342293.tif 000003
【図２】
2004342293.tif 000004
【図３】
2004342293.tif 000005
【図４】
2004342293.tif 000006
【図５】
2004342293.tif 000007
【図６】
2004342293.tif 000008
【図７】
2004342293.tif 000009
【図８】
2004342293.tif 000010
【図９】
2004342293.tif 000011
【図１０】
2004342293.tif 000012
【図１１】
2004342293.tif 000013
【図１２】
2004342293.tif 000014
【図１３】
2004342293.tif 000015
【図１４】
2004342293.tif 000016
【図１５】
2004342293.tif 000017
【図１６】
2004342293.tif 000018
【図１７】
2004342293.tif 000019
【図１８】
2004342293.tif 000020
【図１９】
2004342293.tif 000021
【図２０】
2004342293.tif 000022
【図２１】
2004342293.tif 000023
【図２２】
2004342293.tif 000024
【図２３】
2004342293.tif 000025
【図２４】
2004342293.tif 000026
【図２５】
2004342293.tif 000027
【図２６】
2004342293.tif 000028